(57)【要約】【課題】  遺体を納棺した後に、献花や遺品などを入れたり、保冷用のドライアイスを入れたりすることが容易に出来、又棺の蓋全体を取外すことで、不快な臭気やガスが漏れたりすることの無い棺を提供する。【解決手段】  本考案の棺は、上面を開口した縦長の箱体から成る棺本体と、この棺本体の上部開口部に冠着する蓋とからなる棺において、前記蓋上面の、納棺した遺体の頭部から胸部に対応する部分に、蓋の長手方向に沿って蓋の全長の３０％〜４０％を有する棺本体の内部を覗う窓を設け、該窓には、観音開き状態に扉が蝶着され  更に、懸垂軌条ガイドを設け、該懸垂軌条ガイドに移動自在に断面Ｔ状のガイドレールを係合させた、透明フイルムと枠材から成るスライドパネルを開閉可能に設け、これにより、遺体の胸から上の部分を蓋を取外すことなく開放できるものである。【選択図】    図２
0003116179.tif 000002
【実用新案登録請求の範囲】
【請求項１】
上面を開口した縦長の箱体から成る棺本体（２）と、この棺本体（２）の上部開口部に冠着する蓋（３）とからなる棺（１）において、前記蓋（３）上面の、納棺した遺体の頭部から胸部に対応する部分に、棺本体（２）の内部を覗う窓（４）が設けられ、該窓（４）には、観音開き状態に扉（５）が蝶着されていることを特徴とする棺蓋。
【請求項２】
請求項１記載の棺蓋であって、窓（４）は、納棺された遺体の頭部から胸部に対応出来るように、蓋（３）の長手方向に沿って蓋（３）全長の３０％〜４０％を有することを特徴とする棺蓋。
【請求項３】
請求項１及び２記載の棺蓋であって、窓（４）の内側両側縁部に、左右一対の断面Ｃ状の懸垂軌条ガイド（６）を設け、該懸垂軌条ガイド（６）に移動自在に断面Ｔ状のガイドレール（８）を係合させた、透明フイルムと枠材から成るスライドパネル（７）を吊設して、蓋（３）の内側を長手方向に沿って、スライドし開閉することを特徴とする棺蓋。
【考案の詳細な説明】
【技術分野】
【０００１】  本考案は、葬儀の最に、遺体を安置するための棺の蓋に関するもので、遺体の腐敗を防止するためのドライアイスや遺品などが入れ易く、又臭気などが漏れないよう機密性を高めたものである。
【背景技術】
【０００２】  従来日本においては、死亡が確認された遺体は、体を清め死装束をつけ、枕経の後に棺に納められ仮通夜、通夜、告別式へと順次進行する葬儀を行ない、火葬するもので、最低でも数日の安置が必要であり、その際遺体は、時間の経過と共に腐敗し、それに伴なう不快な臭気やガスが発生するもので、これらの臭気やガスを消す手段としは、一般的には、消臭剤を噴霧したり、又遺体の保管を要する場合、納棺の最に腐敗を防止するためのドライアイスなどの冷却剤を、遺体の首や腹部及び足首に宛がうことにより、遺体全体の温度上昇を抑え腐敗を防止していた。【０００３】  従来日本では、宗教や慣習の違いはあるが、遺体を棺に収容した状態で葬儀等を行なった後、棺と遺体を共に火葬するもので、そのため棺の材料は、一般的に可燃性を有するモミやヒノキなどの白木の合板材や無垢材が使用されている。【０００４】  従来の棺は、上記の材料を使用して上面を開口した箱体部と開口部に載設する蓋部とで構成され、蓋部には窓を有するもので、この蓋部の窓は納棺した遺体の頭部に対応する部分に設けてあり、開閉用扉が付設され、開閉用扉を操作して故人の顔が拝見できるようになっている。
従来の棺に設けられた窓は、遺体を納棺した後に故人の顔を拝見するための物で、大体３０ｃｍ〜３５ｃｍ四方位の物であった。
更に窓の内側には、透視可能な樹脂板が張設され、スライドして開閉可能となっているものである。【０００５】  又、従来、葬儀等においては、棺を式場中央に安置し遺族による「お別れの儀」が模様されるもので、その際、棺に中に遺族、親族、友人、知人、関係者にて棺に供花をして、供物及び故人の生前の愛用品等を棺に納める。
これは、故人が身に付けていたものや愛用していたものを、故人の一部として共に葬ることで、故人を偲びつつ安らかな眠りにつくことを願うものといえる。
最後に棺の蓋をした後に、「釘打ちの儀」を遺族によって行なうものであります。
特許文献１参照。【０００６】
【特許文献１】実開昭６１−７３３１９
【考案の説明】
【考案が解決しようとする課題】
【０００７】  しかしながら、近年の日本では、医療技術が進み多種多様な医薬品の投与などで、著しい延命措置が施されており、そのため死亡後の遺体の腐敗や崩壊が促進されたり、又病死の場合、病気の感染の危険等があったりする。
しかし、火葬以前に遺体との接触の機会（搬送、納棺、ドライアイス処置、死後処置等）があるため、医療機関での死亡の場合は、医療器具抜去部位等から血液等が漏れ出たり、不慮の事故等によって身体に損傷があったり、腐敗が進行し、体液等が浸出するなどによって、それらとの接触によって感染が起こる場合があったり、不快な臭気やガスが発生したりすることがあった。
【０００８】  又、遺体自身の要因や死亡状況、安置場所の環境温度や湿度が腐敗の進行に影響を及ぼすもので、火葬までの時間が長い場合や、死亡の発見が遅れた場合、身体に損傷等がある場合、その他腐敗の進行が速いと予測されるものである。
更に、感染症であったと確認された場合でなくても、「すべての遺体の保有する病原体は判明しない」という前提から、すべての遺体に対し感染に注意して扱わなくてはならない。
【０００９】  そのため最近では枕経の後すぐに納棺する場合や病院で亡くなった場合、病院内で納棺されることが多く、遺体を棺に入れた状態で長時間安置する事が多くなっており、納棺の最に腐敗を防止するためのドライアイスなどの冷却剤を、遺体の首や腹部及び足首に宛がうことにより、遺体全体の温度上昇を抑え、腐敗を防止していた。
【００１０】  しかしながら、日本においては、死亡が確認された遺体は体を清め死装束をつけ、枕経の後に棺に納められ仮通夜、通夜、告別式へと順次進行する葬儀を行ない、火葬するもので、亡くなった日から２〜３日で葬儀が組まれることが多く、夏場の高温期などでは、冷却剤を何度も補充する必要があった。
【００１１】  更に、現在の葬儀においては、棺を式場中央に安置し遺族による「お別れの儀」が模様されるもので、その際、棺に中に遺族、親族、友人、知人、関係者にて棺に供花をして供物及び故人の生前の愛用品等を棺に納める。
これは、故人が身に付けていたものや愛用していたものを、故人の一部として共に葬ることで、故人を偲びつつ安らかな眠りにつくことを願うものといえる。
そのため葬儀の間に何度も、棺の蓋全体を取外して本体内を開放していた、しかし、その度に不快な臭気やガスが漏れたり、せっかくの冷気が逃げて、更に保冷剤を補充する必要があった。
【００１２】  又、従来棺の蓋に設けられた窓は、あくまで遺体を納棺した後に故人の顔を拝見するための物で、遺体の頭部に対応する部分に設けられ大きさ約３０ｃｍ〜３５ｃｍ四方位の物であり、遺品や花などを入れたり、ドライアイスなどの保冷剤の補充なども困難なもので有った。
本考案は、この様な問題を解決するために成されたものであり、蓋の一方側端部に設けられた窓の機密性を高めると共に、蓋の長手方向に沿って全長の３０％〜４０％の窓を有することで、棺の蓋全体を開けることなく、遺品や花などを入れたり、ドライアイスなどの保冷剤の補充なども容易に出来る棺を提供する。
【課題を解決するための手段】
【００１３】  上面を開口した縦長の箱体から成る棺本体（２）と、この棺本体の上部開口部に冠着する蓋（３）とからなる棺（１）において、前記蓋（３）上面の、納棺した遺体の頭部から胸部に対応する部分に、棺本体（２）の内部を覗う窓（４）が設けられ、該窓（４）には、観音開き状態に扉（５）が蝶着されているもので、これにより、遺体の胸から上の部分を開放できるもので、通常、遺品や花などを入れる場合、置き場所としては、遺体の胸か上が多く、又ドライアイスなどの保冷剤を入れた袋を置く所も遺体の首や腹部であるので、十分な開放スペースである。
又、お別れの義の時に遺族と共に写真を撮る場合があり、頭部から胸部に対応する窓を設けた場合、見た目にもバランスのとれたお姿となる。
【００１４】  請求項１記載の棺蓋であって、窓（４）は、納棺された遺体の頭部から胸部に対応出来るように、蓋（３）の長手方向に沿って蓋（３）全長の３０％〜４０％を有するものである。
【００１５】  請求項１及び２記載の棺蓋であって、窓（４）の内側両側縁部に、左右一対の断面Ｃ状の懸垂軌条ガイド（６）を設け、該懸垂軌条ガイド（６）に移動自在に断面Ｔ状のガイドレール（８）を係合させた、透明フイルムから成るスライドパネル（７）を吊設して、蓋（３）の内側を長手方向に沿って、スライドし開閉するもので、断面Ｃ状の懸垂軌条ガイド（６）に断面Ｔ状のガイドレール（８）係合することで、外れにくく機密性を高めることが出来るものである。
【考案の効果】
【００１６】  本考案は、上述のとおり構成されているもので、次に記載する効果を奏する。
【００１７】  機密性を高めることで、遺体の腐敗に伴なう不快な臭気やガスが発生しても、棺の外に漏らさず、葬儀場内の空気を汚すことが無い。
又、窓の大きさを蓋（３）全長の３０％〜４０％にすることで、納棺の後に棺の蓋全体を取外すことなく、遺品や花及びドライアイスなどの保冷剤を入れることが出来、その際も保冷剤の冷気を逃がすことが無い。
【００１８】  更に、お別れの義の時に遺族と共に写真を撮る場合があり、頭部から胸部に対応する窓を設けた場合、見た目にもバランスのとれたお姿となる。
【考案を実施するための最良の形態】
【００１９】  本考案の棺は、上面を開口した縦長の箱体から成る棺本体と、この棺本体の上部開口部に冠着する蓋とからなる棺において、前記蓋上面の、納棺した遺体の頭部から胸部に対応する部分に、蓋の長手方向に沿って蓋の全長の３０％〜４０％を有する棺本体の内部を覗う窓を設ける。
窓には、観音開き状態に扉が蝶着されているもので、これにより、遺体の胸から上の部分を開放できるものである。【００２０】  次に、上記窓の内側両側縁部に、左右一対の断面Ｃ状の懸垂軌条ガイドを設け、該懸垂軌条ガイドに移動自在に断面Ｔ状のガイドレールを係合させた、透明フイルムと枠材から成るスライドパネルを吊設して、蓋の内側を長手方向に沿って、スライドし開閉可能とするものである。
【実施例】
【００２１】  考案の実施例について図面を参照して説明する。
本考案は図１に示す様に、上面を開口した縦長の箱体から成る棺本体（２）と、この棺本体の上部開口部に冠着する蓋（３）とからなる棺（１）を設ける。【００２２】  前記蓋（３）上面の、納棺した遺体の頭部から胸部に対応する部分に、棺本体（２）の内部を覗う窓（４）を設け、該窓（４）には、観音開き状態に扉（５）が蝶着されているもので、この窓（４）は、蓋（３）の長手方向に沿って蓋（３）の全長の３０％〜４０％あり、これによって、遺体の胸から上の部分を開放できるもので、通常、遺品や花などを入れる場合、置き場所としては、遺体の胸か上が多く、又ドライアイスなどの保冷剤を入れた袋を置く所も遺体の首や腹部であるので、十分な開放スペースである。
又、お別れの義の時に遺族と共に写真を撮る場合があり、頭部から胸部に対応する窓を設けた場合、見た目にもバランスのとれたお姿となる。【００２３】  次に、窓（４）の内側両側縁部に、左右一対の断面Ｃ状の懸垂軌条ガイド（６）を設け、該懸垂軌条ガイド（６）に移動自在に断面Ｔ状のガイドレール（８）を係合させた、透明フイルムと枠材から成るスライドパネル（７）を吊設する。
該スライドパネル（７）は、蓋（３）の内側を長手方向に沿って、スライドし開閉するもので、断面Ｃ状の懸垂軌条ガイド（６）に断面Ｔ状のガイドレール（８）係合することで、外れにくく機密性を高めることが出来るものである。
【産業上の利用可能性】
【００２４】
【図面の簡単な説明】
【図１】    本考案の状態を示す平面図
【図２】    本考案の状態を示すＡ〜Ａ断面図
【図３】    本考案の状態を示すＢ〜Ｂ断面図
【図４】    本考案の状態を示す斜視図
【符号の説明】
１    棺
２    棺本体
３    蓋
４    窓
５    扉
６    懸垂軌条ガイド
７    スライドパネル
８    ガイドレール
【図１】
0003116179.tif 000003
【図２】
0003116179.tif 000004
【図３】
0003116179.tif 000005
【図４】
0003116179.tif 000006